(57)【要約】【課題】表示パネルに映像が表示されていない状態から表示パネルに映像が表示される状態への遷移に要する時間を低減することができる電子機器を実現する。【解決手段】実施形態によれば、制御手段は、電子機器が電源オンされた後、表示パネルを電源オンする処理と、表示パネルからホットプラグ検出信号を受信する処理と、リンクトレーニング処理と、リンクトレーニング処理によって決定された映像信号伝送形式で映像信号を表示パネルに送信する処理とを実行する。制御手段は、映像信号が表示パネルに送信された後に表示オフ要求イベントが発生した場合、表示パネルを電源オン状態に維持した状態で表示パネルへの映像信号の送信を停止し、表示パネルが電源オン状態であり且つ表示パネルへの映像信号の送信が停止されている状態で、表示オン要求イベントが発生した場合、前記決定された前記映像信号伝送形式で映像信号を表示パネルに送信する。【選択図】図５
2013003274.tif 000002
【特許請求の範囲】
【請求項１】
表示パネルを備えた電子機器であって、
前記表示パネルを電源オンまたは電源オフする電源制御手段と、
前記電子機器が電源オンされた後、前記電源制御手段を用いて前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行する制御手段とを具備し、
前記制御手段は、前記映像信号が前記表示パネルに送信された後に表示オフ要求イベントが発生した場合、前記表示パネルを電源オン状態に維持した状態で前記表示パネルへの前記映像信号の送信を停止し、前記表示パネルが電源オン状態であり且つ前記表示パネルへの前記映像信号の送信が停止されている状態で、表示オン要求イベントが発生した場合、前記決定された前記映像信号伝送形式で映像信号を前記表示パネルに送信するように構成されている電子機器。
【請求項２】
前記制御手段は、前記表示パネルが電源オン状態であり且つ前記表示パネルへ前記映像信号が送信されている状態で、前記電子機器の電源オフを要求するイベントが発生した場合、前記表示パネルへの前記映像信号の送信を停止すると共に、前記電源制御手段を用いて前記表示パネルを電源オフするように構成されている請求項１記載の電子機器。
【請求項３】
前記表示パネルは、前記表示パネルへの前記映像信号の送信が停止されている間、黒画面を表示するように構成されている請求項１記載の電子機器。
【請求項４】
前記表示パネルは、Embedded Display Port Standardに準拠している請求項１記載の電子機器。
【請求項５】
電子機器に設けられた表示パネルを制御する表示パネル制御装置であって、
前記表示パネルを電源オンまたは電源オフする電源制御手段と、
前記電子機器が電源オンされた後、前記電源制御手段を用いて前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行する制御手段とを具備し、
前記制御手段は、前記映像信号が前記表示パネルに送信された後に表示オフ要求イベントが発生した場合、前記表示パネルを電源オン状態に維持した状態で前記表示パネルへの前記映像信号の送信を停止し、前記表示パネルが電源オン状態であり且つ前記表示パネルへの前記映像信号の送信が停止されている状態で、表示オン要求イベントが発生した場合、前記決定された前記映像信号伝送形式で映像信号を前記表示パネルに送信するように構成されている表示パネル制御装置。
【請求項６】
前記制御手段は、前記表示パネルが電源オン状態であり且つ前記表示パネルへ前記映像信号が送信されている状態で、前記電子機器の電源オフを要求するイベントが発生した場合、前記表示パネルへの前記映像信号の送信を停止すると共に、前記電源制御手段を用いて前記表示パネルを電源オフするように構成されている請求項５記載の表示パネル制御装置。
【請求項７】
電子機器に設けられた表示パネルを制御する表示パネル制御方法であって、
前記電子機器が電源オンされた後、前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行し、
前記映像信号が前記表示パネルに送信された後に表示オフ要求イベントが発生した場合、前記表示パネルを電源オン状態に維持した状態で前記表示パネルへの前記映像信号の送信を停止し、
前記表示パネルが電源オン状態であり且つ前記表示パネルへの前記映像信号の送信が停止されている状態で、表示オン要求イベントが発生した場合、前記決定された前記映像信号伝送形式で映像信号を前記表示パネルに送信する表示パネル制御方法。
【請求項８】
前記表示パネルが電源オン状態であり且つ前記表示パネルへ前記映像信号が送信されている状態で、前記電子機器の電源オフを要求するイベントが発生した場合、前記表示パネルへの前記映像信号の送信を停止する請求項７記載の表示パネル制御方法。
【発明の詳細な説明】
【技術分野】
【０００１】
本発明の実施形態は、表示パネルを備えた電子機器、表示パネルを制御するための表示パネル制御装置および表示パネル制御方法に関する。
【背景技術】
【０００２】
近年、ポータブルパーソナルコンピュータ、デジタルＴＶといった様々な電子機器が開発されている。この種の電子機器の多くは、液晶ディスプレイ(LCD)パネルのような表示パネルを備えている。
【０００３】
表示パネルを備えた電子機器では、表示パネルを制御するための内部ビデオインターフェースとしてLVDS I/F (Low voltage difference signal Interface)が用いられている。LVDS I/Fを有するLCDパネルの制御においては、LCDパネルに電力を供給した後に映像信号をLCDパネルに送信することによって、LCDパネルに映像を表示できる。
【先行技術文献】
【特許文献】
【０００４】
【特許文献１】特開２００９−８９３６６号公報
【発明の概要】
【発明が解決しようとする課題】
【０００５】
ところで、最近では、LVDS I/F に代わる新たな内部ビデオインタフェースであるeDP (Embedded Display Port) I/Fが利用され始めている。eDP (Embedded Display Port) I/F は、LVDS I/Fの信号線数よりも少ない信号線数で高速信号伝送を実現することができる。このため、eDP I/Fは、今後、表示パネルのための信号伝送方式の主流になりつつある。
【０００６】
しかし、eDP I/Fは、外部ビデオインタフェースであるDisplayPort I/Fをベースとした規格であるため、LCDパネルが電源オンされてからLCDパネルに映像信号を送信するまでの間に、ホットプラグ信号処理およびリンクトレーニング処理というプロセスを実行することが必要となる。したがって、eDP I/Fを用いた電子機器においては、LCDパネルが電源ＯＮされてからLCDパネルに実際に映像が表示されるようになるまでに比較的多くの時間を要する。このことは、ユーザ操作性を低下させる要因となる。
【０００７】
本発明は、表示パネルに映像が表示されていない状態から表示パネルに映像が表示される状態への遷移に要する時間を低減することができる電子機器、表示パネル制御装置および表示パネル制御方法を提供することを目的とする。
【課題を解決するための手段】
【０００８】
実施形態によれば、電子機器は、表示パネルを備えている。さらに、前記電子機器は、前記表示パネルを電源オンまたは電源オフする電源制御手段と、制御手段とを具備する。前記制御手段は、前記電子機器が電源オンされた後、前記電源制御手段を用いて前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行する。前記制御手段は、前記映像信号が前記表示パネルに送信された後に表示オフ要求イベントが発生した場合、前記表示パネルを電源オン状態に維持した状態で前記表示パネルへの前記映像信号の送信を停止し、前記表示パネルが電源オン状態であり且つ前記表示パネルへの前記映像信号の送信が停止されている状態で、表示オン要求イベントが発生した場合、前記決定された前記映像信号伝送形式で映像信号を前記表示パネルに送信するように構成されている。
【図面の簡単な説明】
【０００９】
【図１】実施形態に係る電子機器の外観を示す斜視図。
【図２】同実施形態の電子機器のシステム構成を示すブロック図。
【図３】同実施形態の電子機器に設けられた表示パネル制御部の構成例を示すブロック図。
【図４】表示パネル制御シーケンスの例を示すタイミングチャート。
【図５】同実施形態の電子機器によって実行される表示パネル制御シーケンスの例を示すタイミングチャート。
【図６】同実施形態の電子機器によって実行される表示パネル制御処理の手順の例を示すフローチャート。
【発明を実施するための形態】
【００１０】
以下、実施の形態について図面を参照して説明する。  
図１は、一実施形態に係る電子機器の外観を示す斜視図である。この電子機器は表示パネルを備えた様々な機器、たとえば、ノートブックタイプのパーソナルコンピュータ（ＰＣ）、タブレットＰＣ、スレートＰＣ、デジタルＴＶ、等として実現され得る。以下では、この電子機器がノートブックタイプのパーソナルコンピュータ１０として実現されている場合を想定する。
【００１１】
図１に示すように、本コンピュータ１０は、コンピュータ本体１１と、ディスプレイユニット１２とから構成される。ディスプレイユニット１２には、ＬＣＤ１６（Liquid Crystal Display）から構成される表示装置が組み込まれている。ＬＣＤ１６はEmbedded Display Port Standard に準拠した表示パネルであり、eDP (Embedded Display Port) I/Fを有している。
【００１２】
ディスプレイユニット１２は、コンピュータ本体１１の上面が露出される開放位置とコンピュータ本体１１の上面を覆う閉塞位置との間を回動自在にコンピュータ本体１１に取り付けられている。コンピュータ本体１１は薄い箱形の筐体を有しており、その上面にはキーボード１３、本コンピュータ１０をパワーオン／オフするためのパワーボタン１４、およびタッチパッドのようなポインティングデバイス１５が配置されている。ポインティングデバイス１５としては、マウスや、タッチパネルを用いてもよい。
【００１３】
図２は、本コンピュータ１０のシステム構成を示している。  
本コンピュータ１０は、ＣＰＵ１１１、ブリッジデバイス１１２、主メモリ１１３、グラフィクスコントローラ１１４、ハードディスクドライブ（ＨＤＤ）１１６、ネットワークコントローラ１１７、ＢＩＯＳ−ＲＯＭ１１８、エンベデッドコントローラ／キーボードコントローラＩＣ（ＥＣ／ＫＢＣ）１１９、および電源回路１２０等を備えている。
【００１４】
ＣＰＵ１１１は、本コンピュータ１０の各コンポーネントの動作を制御するプロセッサである。このＣＰＵ１１１は、フラッシュＢＩＯＳ−ＲＯＭ１１８に格納されたＢＩＯＳを実行する。ＢＩＯＳは、ＬＣＤ１６を自動的に非表示状態に設定するためのＬＣＤ表示オートオフ機能を有している。例えば、キー入力またはポインティング操作といった入力イベントがない期間が閾値時間以上継続した時、ＢＩＯＳは、ＬＣＤ１６を非表示状態に設定することを要求する表示オフ要求（ＬＣＤ表示オフ要求）をグラフィクスコントローラ１１４に送信する。ＬＣＤ１６が非表示状態のときに入力イベントが発生した時、ＢＩＯＳは、ＬＣＤ１６を表示状態に戻すために、表示オン要求（ＬＣＤ表示オフ要求）をグラフィクスコントローラ１１４に送信する。
【００１５】
さらに、ＢＩＯＳは、映像を表示するディスプレイを内部ディスプレイ（ＬＣＤ１６）とコンピュータ１０に接続された外部ディスプレイとの間で切り替えるディスプレイ切り替え機能を有している。ユーザは、例えばキーボード１３上の所定のキー（ホットキー）を押下することにより、映像を表示するディスプレイを内部ディスプレイ（ＬＣＤ１６）と外部ディスプレイとの間で切り替えることができる。たとえば、表示対象ディスプレイは、ホットキーが押されるたびに、例えば、内部ディスプレイモード→外部ディスプレイモード→同時表示モード→内部ディスプレイモード→外部ディスプレイモード…の順で切り替えられる（トグル）。映像を表示するディスプレイが内部ディスプレイから外部ディスプレイに切り替えるイベント、例えば、内部ディスプレイモードから外部ディスプレイモードに切り替えるイベント、または同時表示モードから外部ディスプレイモードに切り替えるイベント、が発生した時、ＢＩＯＳは、ＬＣＤ１６を非表示状態に設定することを要求する上述の表示オフ要求（ＬＣＤ表示オフ要求）をグラフィクスコントローラ１１４に送信する。映像を表示するディスプレイが外部ディスプレイから内部ディスプレイに切り替えるイベント、たとえば、外部ディスプレイモードから内部ディスプレイモードに切り替えるイベント、または同時表示モードから内部ディスプレイモードに切り替えるイベント、が発生した時、ＢＩＯＳは、ＬＣＤ１６を表示状態に戻すために、上述の表示オン要求（ＬＣＤ表示オン要求）をグラフィクスコントローラ１１４に送信する。
【００１６】
ＣＰＵ１１１は、さらに、ＨＤＤ１１６から主メモリ１１３にロードされる、オペレーティングシステム、各種アプリケーションプログラムおよび各種ユーティリティプログラムを実行する。上述のＬＣＤ表示オートオフ機能は、ユーティリティプログラムに実装してもよい。
【００１７】
ブリッジデバイス１１２は、グラフィクスコントローラ１１４との通信を実行する機能を有している。さらに、ブリッジデバイス１１２には、主メモリ１１３を制御するメモリコントローラも内蔵されている。またさらに、ブリッジデバイス１１２は、ＰＣＩ（Peripheral Component Interconnect）バス上の各デバイスおよびＬＰＣ（Low ＰＩＮ Count）バ上の各デバイスとの通信も実行する。
【００１８】
グラフィクスコントローラ１１４は、本コンピュータ１０のディスプレイモニタとして使用されるＬＣＤ１６を制御する表示コントローラである。グラフィクスコントローラ１１４とＬＣＤ１６との間の映像信号インタフェースとしては、上述のeDP (Embedded Display Port) I/Fが用いられる。さらに、グラフィクスコントローラ１１４は、コンピュータ１０に接続された上述の外部ディスプレイに映像信号を送信することもできる。
【００１９】
本実施形態では、グラフィクスコントローラ１１４とブリッジデバイス１１２とが、ＬＣＤ１６を制御するための表示パネル制御部１００として機能する。
【００２０】
この表示パネル制御部１００は、ＬＣＤ１６に映像が表示されていない非表示状態からＬＣＤ１６に映像が表示される表示状態への遷移に要する時間を低減するために、ＬＣＤ１６（eDP I/F LCDパネル）に対する電源シーケンス（表示オンシーケンス）において、システム起動後１回目のみ、ホットプラグ信号処理とリンクトレーニング処理とを実行し、２回目以降の電源シーケンス（表示オンシーケンス）においてはホットプラグ信号処理とリンクトレーニング処理の実行を省略するように構成されている。換言すれば、表示パネル制御部１００は、１回目の電源シーケンス（表示オンシーケンス）を実行した後は、たとえ表示オフ要求（ＬＣＤ表示オフ要求）のイベントが発生しても、ＬＣＤ１６を電源オン状態に維持する。つまり、表示オフ要求（ＬＣＤ表示オフ要求）のイベントが発生した時、表示パネル制御部１００は、ＬＣＤ１６を電源オン状態に維持した状態で、ＬＣＤ１６への映像信号の送信を停止する。
【００２１】
より詳しくは、表示パネル制御部１００によって実行されるＬＣＤ１６制御シーケンスの手順は以下の通りである。
【００２２】
（１）コンピュータ１０が電源オンされた後の１回目の電源シーケンス（表示オンシーケンス）において、表示パネル制御部１００は、ＬＣＤ１６を電源オンする処理と、ＬＣＤ１６からホットプラグ検出信号を受信する処理（ホットプラグ信号処理）と、映像信号伝送形式を決定するためのリンクトレーニング処理と、このリンクトレーニング処理によって決定された映像信号伝送形式で映像信号をＬＣＤ１６に送信する処理と実行する。
【００２３】
（２）映像信号がＬＣＤ１６に送信された後に、表示オフ要求イベントが発生した場合、表示パネル制御部１００は、ＬＣＤ１６を電源オン状態に維持した状態でＬＣＤ１６への映像信号の送信を停止する。
【００２４】
（３）コンピュータ１０が電源オンされた後の２回目以降の各電源シーケンス（２回目以降の各表示オンシーケンス）においては、表示パネル制御部１００は、１回目の電源シーケンス（表示オンシーケンス）においてすでに決定されている映像信号伝送形式で、映像信号をＬＣＤ１６に送信する。２回目以降の各電源シーケンス（２回目以降の各表示オンシーケンス）は、ＬＣＤ１６への映像信号の送信が停止されている状態で表示オン要求イベントが発生した時に実行される。つまり、ＬＣＤ１６が電源オン状態であり且つＬＣＤ１６への映像信号の送信が停止されている状態で、表示オン要求イベントが発生した場合、表示パネル制御部１００は、ＬＣＤ１６を電源オンする処理、ホットプラグ信号処理、およびリンクトレーニング処理の実行をスキップし、すでに決定されている映像信号伝送形式で映像信号をＬＣＤ１６に送信する。
【００２５】
（４）ＬＣＤ１６へ映像信号が送信されている状態でコンピュータ１０の電源オフを要求するシステム電源オフ要求イベントが発生した場合、またはＬＣＤ１６が電源オン状態であり且つＬＣＤ１６への映像信号の送信が停止されている状態でシステム電源オフ要求イベントが発生した場合、表示パネル制御部１００は、ＬＣＤ１６を電源オフする。もしこの時、ＬＣＤ１６へ映像信号が送信されている状態であるならば、表示パネル制御部１００は、ＬＣＤ１６へ映像信号が送信も停止する。
【００２６】
以上の処理により、２回目以降の各電源シーケンス（表示オンシーケンス）においては、ホットプラグ信号処理とリンクトレーニング処理とが省略される。よって、２回目以降の各電源シーケンスにおいては、ＬＣＤ１６に映像が表示されていない状態からＬＣＤ１６に映像が表示される状態への遷移に要する時間を低減することができる。
【００２７】
エンベデッドコントローラ／キーボードコントローラＩＣ（ＥＣ／ＫＢＣ）１１９は、電力管理のためのエンベデッドコントローラと、キーボード（ＫＢ）１３およびポインティングデバイス１５などを制御するキーボードコントローラとが集積された１チップマイクロコンピュータである。ＥＣ／ＫＢＣ１１９は、電源回路１２０と共同して、ユーザによるパワーボタンスイッチ１４の操作に応じて本コンピュータ１０を電源オン／電源オフする。電源回路１２０は、コンピュータ本体１１に内蔵されたバッテリ１２１またはＡＣアダプタ１２２を介して供給される外部電源を用いて、本コンピュータ１０の各コンポーネントに供給すべきシステム電源を生成する。
【００２８】
次に、図３を参照して、表示パネル制御部１００の構成例について説明する。  
図３に示されているように、表示パネル制御部１００は、電源スイッチ回路１０１、ブリッジデバイス１１２、グラフィクスコントローラ（ＧＰＵ）１１４等によって構成されている。電源スイッチ回路１０１は、電源端子ＶＣＣとＬＣＤ１６との間に接続されたスイッチ（例えばＦＥＴ）から構成されている。
【００２９】
ブリッジデバイス１１２は、電源スイッチ回路１０１をオンまたはオフすることによってＬＣＤ１６を電源オンまたは電源オフする電源制御部として機能する。このブリッジデバイス１１２がグラフィクスコントローラ（ＧＰＵ）１１４からＬＣＤパネル電源オン要求を受信した時、ブリッジデバイス１１２は、ＬＣＤパネル電源イネーブル（ＥＮ）信号をアクティブ状態に設定することによって、ＬＣＤ１６を電源オン、つまりＬＣＤ１６にＬＣＤパネル電源（電力）を供給する。またブリッジデバイス１１２がグラフィクスコントローラ（ＧＰＵ）１１４からＬＣＤパネル電源オフ要求を受信した時、ブリッジデバイス１１２は、ＬＣＤパネル電源イネーブル（ＥＮ）信号をインアクティブ状態に設定することによって、ＬＣＤ１６を電源オフする。
【００３０】
グラフィクスコントローラ（ＧＰＵ）１１４は、eDP (Embedded Display Port) I/Fを介してＬＣＤ１６を制御する。eDP I/Fには、メインデータチャネル２０１（４レーン）と、補助（ＡＵＸ）チャンネルと称されるサイドチャンネル２０２（１レーン）と、ホットプラグ検出信号線２０３とが定義されている。メインデータチャネル２０１はグラフィクスコントローラ（ＧＰＵ）１１４からＬＣＤ１６への映像信号の送信に用いられる。メインデータチャネル２０１の１レーン当りのデータ転送レートは可変設定することができる。サイドチャンネル２０２は映像信号伝送形式を決定するためのリンクトレーニング処理等に用いられるチャンネルである。グラフィクスコントローラ（ＧＰＵ）１１４はサイドチャンネル２０２を介してＬＣＤ１６との通信を実行することによって、映像信号伝送形式（使用すべきメインデータチャネルのレーン数、１レーン当りのデータ転送レート、映像信号の振幅、等）を決定する（リンクトレーニング処理）。
【００３１】
ホットプラグ検出信号線２０３は、ＬＣＤ１６からグラフィクスコントローラ（ＧＰＵ）１１４にホットプラグ検出信号を送信するために用いられる。ホットプラグ検出信号は、ＬＣＤ１６が動作可能状態になったことをＬＣＤ１６からグラフィクスコントローラ（ＧＰＵ）１１４に通知するための信号である。グラフィクスコントローラ（ＧＰＵ）１１４は、ＬＣＤ１６からアクティブステートのホットプラグ検出信号を受信する処理（ホットプラグ信号処理）を実行した後、上述のリンクトレーニング処理を実行する。
【００３２】
グラフィクスコントローラ（ＧＰＵ）１１４は、映像信号を生成するグラフィクス処理部に加え、制御部１１４Ａを含んでいる。この制御部１１４Ａはブリッジデバイス１１２と共同して上述の電源シーケンス（表示オンシーケンス）を制御する。
【００３３】
次に、図４および図５を参照して、制御部１１４Ａによって実行される電源シーケンス（表示オンシーケンス）について説明する。
【００３４】
図４は、電源シーケンスの度に、つまり表示オン要求イベントが発生する度に、ホットプラグ信号処理とリンクトレーニング処理とを実行する場合のタイミング制御を示している。図５は、１回目の電源シーケンスにおいてのみホットプラグ信号処理とリンクトレーニング処理とを実行し、２回目以降の電源シーケンスにおいてはホットプラグ信号処理とリンクトレーニング処理とが省略される場合のタイミング制御を示している。本実施形態では、図５のタイミング制御が実行される。
【００３５】
まず、図４のタイミング制御（通常のタイミング制御）について説明する。  
システム電源（ＶＣＣ）がオンすることによってコンピュータ１０が電源オンされる。この場合、グラフィクスコントローラ（ＧＰＵ）１１４、ブリッジデバイス１１２等の各コンポーネントも電源オンされる。ＬＣＤ１６は電源オフされている。そして、システム処理化処理、ＧＰＵ１１４の初期化処理等が実行される。そして、例えば、ＢＩＯＳから表示オン要求を受信した時、またはＧＰＵ１１４の初期化処理が終了した時に、グラフィクスコントローラ（ＧＰＵ）１１４は電源シーケンス（ＬＣＤ表示オン処理）を開始する。
【００３６】
電源シーケンス（ＬＣＤ表示オン処理）では、ＬＣＤパネル電源イネーブル（ＥＮ）信号がアクティブ状態に設定され、これによってＬＣＤパネル電源がオン、つまりＬＣＤ１６が電源オンされる。ＬＣＤ１６が電源オンされてから時間（Ｔ１）だけ経過した時、ホットプラグ検出信号（ホットプラグ信号ともいう）がＬＣＤ１６によってアクティブ状態に設定される。ＧＰＵ１１４はホットプラグ検出信号を受信するための処理を実行した後、リンクトレーニング処理を実行する。リンクトレーニング処理が完了した後、ＧＰＵ１１４は、映像信号をＬＣＤ１６に送信する。この結果、ＬＣＤ１６の画面上には、映像（例えば、ロゴ、デスクトップ画面、等）が表示される。
【００３７】
システムが稼働状態の間に表示オフ要求イベントが発生したならば、ＬＣＤパネル電源がオフされると共に、ＬＣＤ１６への映像信号の送信が停止される。そして、ＬＣＤ１６がオフされている状態で表示オン要求イベントが発生したならば、上述の電源シーケンス（ＬＣＤ表示オン処理）と同じ電源シーケンスが再び実行される。
【００３８】
なお、図４のタイミング制御におけるT1、T2、T3、Ton1、Ton2は以下の通りである。  
T1 = 0ms(min), 200ms(max)
T2 = 10〜20ms (typ)
T3 = 0ms(min), 50ms(max)    
Ton1 = Ton2 = T1 + T2 + T3 = 10ms(min), 270ms (max)
ここで、“min”は最小値を示し、“max”は最大値を示し、“typ”は典型的な値を示している。Ton1は、ＬＣＤパネル電源オン（ＬＣＤ表示ON処理開始）からＬＣＤパネルに映像データが表示されるまでの時間（システム起動後１回目のLCDパネル電源シーケンス時）を示している。また、Ton2は、ＬＣＤパネル電源オン（ＬＣＤ表示ON処理開始）からＬＣＤパネルに映像データが表示されるまでの時間（システム起動後２回目以降のLCDパネル電源シーケンス時）を示している。Ton1=Ton2であり、Ton1(= Ton2)の最小値は10ms(min)、Ton1(= Ton2)の最大値は270ms(max)である。
【００３９】
次に、図５を参照して、本実施形態のタイミング制御について説明する。  
システム起動後の１回目のＬＣＤパネルの電源シーケンスは、図４の電源シーケンスと同じである。１回目のＬＣＤパネルの電源シーケンスが完了した後は、ＬＣＤパネル電源は、ＬＣＤ表示オフ要求イベントが発生しても常にオン状態に維持される。このため、システム起動後の２回目以降のＬＣＤパネルの電源シーケンスにおいては、ＬＣＤパネル電源オンが発生しないため、ホットプラグ信号処理とリンクトレーニング処理の実行を省略できる。この結果、ＬＣＤパネル電源オン（ＬＣＤ表示ON処理開始）からＬＣＤパネルに映像データが表示されるまでの時間（システム起動後２回目以降のＬＣＤパネル電源シーケンス時）を低減することができる。
【００４０】
以下、本実施形態のタイミング制御の詳細を説明する。
【００４１】
システム電源（ＶＣＣ）がオンすることによってコンピュータ１０が電源オンされる（システムパワーオン）。この場合、グラフィクスコントローラ（ＧＰＵ）１１４、ブリッジデバイス１１２等の各コンポーネントも電源オンされる。ＬＣＤ１６は電源オフされている。そして、システム処理化処理、ＧＰＵ１１４の初期化処理等が実行される。そして、例えば、ＢＩＯＳから表示オン要求（ＬＣＤパネル表示オン要求）を受信した時、またはＧＰＵ１１４の初期化処理が終了した時に、グラフィクスコントローラ（ＧＰＵ）１１４は電源シーケンス（ＬＣＤ表示オン処理）を開始する。
【００４２】
電源シーケンス（ＬＣＤ表示オン処理）では、グラフィクスコントローラ（ＧＰＵ）１１４の制御部１１４Ａはブリッジデバイス１１２にＬＣＤパネル電源オンを要求する。これにより、ＬＣＤパネル電源イネーブル（ＥＮ）信号がブリッジデバイス１１２によってアクティブ状態に設定され、ＬＣＤパネル電源がオン、つまりＬＣＤ１６が電源オンされる。ＬＣＤ１６が電源オンされてから時間（Ｔ１）だけ経過した時、ホットプラグ検出信号（ホットプラグ信号ともいう）がＬＣＤ１６によってアクティブ状態に設定される。ＧＰＵ１１４の制御部１１４Ａは、ホットプラグ検出信号を受信するための処理（ホットプラグ信号処理）を実行した後、サブチャンネル２０２を介してＬＣＤ１６との通信を実行することによって、リンクトレーニング処理を実行する。リンクトレーニング処理では、ＧＰＵ１１４の制御部１１４ＡとＬＣＤ１６との間のネゴシエーションが行われ、これによって、上述したように、メインデータチャネル２０１を介して送信すべき映像信号の映像信号伝送形式（使用すべきメインデータチャネルのレーン数、１レーン当りのデータ転送レート、映像信号の振幅、等）が決定される。
【００４３】
リンクトレーニング処理が完了した後、ＧＰＵ１１４の制御部１１４Ａは、リンクトレーニング処理で決定された映像信号伝送形式で映像信号をメインデータチャネル２０１を介してＬＣＤ１６に送信する。この結果、ＬＣＤ１６の画面上には、映像（例えば、ロゴ、デスクトップ画面、等）が表示される。
【００４４】
システムが稼働状態の間に表示オフ要求イベントが発生したならば、つまり、ＢＩＯＳから表示オフ要求を受信したならば、制御部１１４Ａは、ＬＣＤパネル電源をオン状態に維持したまま、ＬＣＤ１６への映像信号の送信を停止する。ＬＣＤ１６への映像信号の送信が停止されている間、ＬＣＤ１６は黒画面を表示するように構成されている。なお、ＬＣＤ１６への映像信号の送信が停止されている間、制御部１１４Ａは、ＬＣＤ１６のバックライトをオフ（消灯）してもよい。
【００４５】
そして、ＬＣＤ１６がオフされている状態で表示オン要求イベントが発生したならば、つまりＢＩＯＳから表示オフ要求を受信したならば、制御部１１４Ａは、１回目の電源シーケンスのリンクトレーニング処理で決定された映像信号伝送形式で映像信号をＬＣＤ１６に送信する。
【００４６】
システム電源のオフを要求するイベントが発生したならば、つまりＢＩＯＳからシステム電源オフ要求を受信したならば、制御部１１４Ａは、ブリッジデバイス１１２にＬＣＤパネル電源オフを要求する。これにより、ＬＣＤパネル電源イネーブル（ＥＮ）信号がブリッジデバイス１１２によってインアクティブ状態に設定され、ＬＣＤパネル電源がオフ、つまりＬＣＤ１６が電源オフされる。
【００４７】
なお、図５のタイミング制御におけるT1、T2、T3、Ton1、Ton2は以下の通りである。  
T1 = 0ms(min), 200ms(max)
T2 = 10〜20ms (typ)
T3 = 0ms(min), 50ms(max)    
Ton1 = T1 + T2 +T3 = 10ms(min), 270ms (max)
Ton2 = T3 = 0ms(min), 50ms (max)
以上のように、ＬＣＤパネル電源オン（ＬＣＤ表示ON処理開始）からＬＣＤパネルに映像データが表示されるまでの時間（システム起動後２回目以降のＬＣＤパネル電源シーケンス時）、つまり、Ton2は、その最小値が0ms(min)であり、その最大値が50ms(max)である。よって、システム起動後２回目以降のＬＣＤパネル電源シーケンス時においては、ＬＣＤ１６に映像が表示されていない状態からＬＣＤ１６に映像が表示される状態への遷移に要する時間を低減することができる。
【００４８】
次に、図６のフローチャートを参照して、本実施形態の表示パネル制御処理の手順について説明する。
【００４９】
コンピュータ１０が電源オンされた後、制御部１１４Ａは、ブリッジデバイス１１２を用いて、ＬＣＤ１６を電源オンする（ステップＳ１１）。より詳しくは、例えば、システムパワーオン後の１回目の表示オン要求（ＬＣＤパネル表示オン要求）をＢＩＯＳから受信した時、制御部１１４Ａは、ブリッジデバイス１１２を用いて、ＬＣＤ１６を電源オンする。
【００５０】
そして、制御部１１４Ａは、ホットプラグ検出信号をＬＣＤ１６から受信する（ステップＳ１２）。ステップＳ１２では、制御部１１４Ａは、ＬＣＤ１６が動作状態になったことを示すアクティブ状態のホットプラグ検出信号がＬＣＤ１６から出力されるのを待つ。そして、制御部１１４Ａは、アクティブ状態のホットプラグ検出信号をＬＣＤ１６から受信すると、ＬＣＤ１６が動作状態になったことを認識し、ステップＳ１３に進む。ステップＳ１３では、制御部１１４Ａは、映像信号伝送形式を決定するための上述のリンクトレーニング処理を実行する。
【００５１】
リンクトレーニング処理が完了すると、制御部１１４Ａは、リンクトレーニング処理によって決定された映像信号伝送形式で映像信号をＬＣＤ１６に送信する（ステップＳ１４）。これにより、ＬＣＤ１６に映像が表示される。
【００５２】
映像信号がＬＣＤ１６に送信された後にＢＩＯＳから表示オフ要求またはシステム電源オフ要求（システムパワーオフ要求）を受信すると、制御部１１４Ａは、以下の処理を実行する。
【００５３】
すなわち、制御部１１４ＡがＢＩＯＳから表示オフ要求を受信したならば（ステップＳ１６のＹＥＳ）、制御部１１４Ａは、ＬＣＤ１６を電源オン状態に維持した状態で、ＬＣＤ１６への映像信号の送信を停止する（ステップＳ１６）。この場合、ＬＣＤ１６は黒画面を表示する。一方、制御部１１４ＡがＢＩＯＳからシステムパワーオフ要求を受信したならば（ステップＳ２０のＹＥＳ）、制御部１１４Ａは、ＬＣＤ１６への映像信号の送信を停止すると共に、ブリッジデバイス１１２を用いてＬＣＤ１６を電源オフする（ステップＳ２１）。
【００５４】
ＬＣＤ１６が電源オン状態に維持され且つＬＣＤ１６への映像信号の送信が停止されている状態で、制御部１１４ＡがＢＩＯＳから表示オン要求を受信したならば（ステップＳ１７のＹＥＳ）、制御部１１４Ａは、ステップＳ１３ですでに決定されている映像信号伝送形式で、映像信号をＬＣＤ１６に送信する（ステップＳ１４）。
【００５５】
一方、ＬＣＤ１６が電源オン状態に維持され且つＬＣＤ１６への映像信号の送信が停止されている状態で、制御部１１４ＡがＢＩＯＳからシステムパワーオフ要求を受信したならば（ステップＳ１８のＹＥＳ）、制御部１１４Ａは、ブリッジデバイス１１２を用いてＬＣＤ１６を電源オフする（ステップＳ１９）。
【００５６】
以上のように、本実施形態では、コンピュータ１０が電源オンされた後に、ＬＣＤ１６を電源オンする処理と、ＬＣＤ１６からホットプラグ検出信号を受信する処理と、映像信号伝送形式を決定するためのリンクトレーニング処理と、リンクトレーニング処理によって決定された映像信号伝送形式で映像信号をＬＣＤ１６に送信する処理とが実行される。そして、映像信号がＬＣＤ１６に送信された後に表示オフ要求イベントが発生した場合には、ＬＣＤ１６を電源オン状態に維持した状態でＬＣＤ１６への映像信号の送信が停止される。さらに、ＬＣＤ１６が電源オン状態であり且つＬＣＤ１６への映像信号の送信が停止されている状態で、表示オン要求イベントが発生した場合には、すでに決定された映像信号伝送形式で映像信号がＬＣＤ１６に送信される。したがって、表示オン要求イベントが発生する度に、ＬＣＤ１６を電源オンする処理、ＬＣＤ１６からホットプラグ検出信号を受信する処理、およびリンクトレーニング処理を実行する必要がなくなり、ＬＣＤ１６に映像が表示されていない状態からＬＣＤ１６に映像が表示される状態への遷移に要する時間（平均時間）を低減することができる。
【００５７】
なお、本実施形態の表示パネル制御処理は、コンピュータのみならず、他の様々な電子機器にも適用することができる。また、本実施形態では、表示パネル制御部１００がグラフィクスコントローラ（ＧＰＵ）１１４を用いて実現されている場合を例示したが、グラフィクスコントローラ（ＧＰＵ）１１４とは独立した専用の表示パネル制御部１００を設けてもよい。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１６…ＬＣＤ、１００…表示パネル制御部、１１２…ブリッジデバイス、１１４…グラフィクスコントローラ、１１４Ａ…制御部。
【図１】
2013003274.tif 000003
【図２】
2013003274.tif 000004
【図３】
2013003274.tif 000005
【図４】
2013003274.tif 000006
【図５】
2013003274.tif 000007
【図６】
2013003274.tif 000008
【手続補正書】
【提出日】平成24年3月2日(2012.3.2)
【手続補正１】
【補正対象書類名】図面
【補正対象項目名】図５
【補正方法】変更
【補正の内容】
【図５】
2013003274.tif 000009
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
表示パネルを備えた電子機器であって、
前記表示パネルを電源オンまたは電源オフする電源制御手段と、
前記電子機器が電源オンされた後の１回目の表示オンシーケンスにおいて、前記電源制御手段を用いて前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行する制御手段とを具備し、
前記制御手段は、前記映像信号が前記表示パネルに送信された後に表示オフ要求イベントが発生した場合、前記表示パネルを電源オン状態に維持した状態で前記表示パネルへの前記映像信号の送信を停止し、前記表示パネルが電源オン状態であり且つ前記表示パネルへの前記映像信号の送信が停止されている状態で表示オン要求イベントが発生したことに応答して実行される２回目以降の表示オンシーケンスにおいて、前記ホットプラグ検出信号を受信する前記処理と、前記リンクトレーニング処理とを行わずに、前記１回目の表示オンシーケンスにおいて決定された前記映像信号伝送形式で映像信号を前記表示パネルに送信するように構成されている電子機器。
【請求項２】
前記制御手段は、前記表示パネルが電源オン状態であり且つ前記表示パネルへ前記映像信号が送信されている状態で、前記電子機器の電源オフを要求するイベントが発生した場合、前記表示パネルへの前記映像信号の送信を停止すると共に、前記電源制御手段を用いて前記表示パネルを電源オフするように構成されている請求項１記載の電子機器。
【請求項３】
前記表示パネルは、前記表示パネルへの前記映像信号の送信が停止されている間、黒画面を表示するように構成されている請求項１記載の電子機器。
【請求項４】
前記表示パネルは、Embedded Display Port Standardに準拠している請求項１記載の電子機器。
【請求項５】
電子機器に設けられた表示パネルを制御する表示パネル制御装置であって、
前記表示パネルを電源オンまたは電源オフする電源制御手段と、
前記電子機器が電源オンされた後の１回目の表示オンシーケンスにおいて、前記電源制御手段を用いて前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行する制御手段とを具備し、
前記制御手段は、前記映像信号が前記表示パネルに送信された後に表示オフ要求イベントが発生した場合、前記表示パネルを電源オン状態に維持した状態で前記表示パネルへの前記映像信号の送信を停止し、前記表示パネルが電源オン状態であり且つ前記表示パネルへの前記映像信号の送信が停止されている状態で表示オン要求イベントが発生したことに応答して実行される２回目以降の表示オンシーケンスにおいて、前記ホットプラグ検出信号を受信する前記処理と、前記リンクトレーニング処理とを行わずに、前記１回目の表示オンシーケンスにおいて決定された前記映像信号伝送形式で映像信号を前記表示パネルに送信するように構成されている表示パネル制御装置。
【請求項６】
前記制御手段は、前記表示パネルが電源オン状態であり且つ前記表示パネルへ前記映像信号が送信されている状態で、前記電子機器の電源オフを要求するイベントが発生した場合、前記表示パネルへの前記映像信号の送信を停止すると共に、前記電源制御手段を用いて前記表示パネルを電源オフするように構成されている請求項５記載の表示パネル制御装置。
【請求項７】
電子機器に設けられた表示パネルを制御する表示パネル制御方法であって、
前記電子機器が電源オンされた後の１回目の表示オンシーケンスにおいて、前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行し、
前記映像信号が前記表示パネルに送信された後に表示オフ要求イベントが発生した場合、前記表示パネルを電源オン状態に維持した状態で前記表示パネルへの前記映像信号の送信を停止し、
前記表示パネルが電源オン状態であり且つ前記表示パネルへの前記映像信号の送信が停止されている状態で表示オン要求イベントが発生したことに応答して実行される２回目以降の表示オンシーケンスにおいて、前記ホットプラグ検出信号を受信する前記処理と、前記リンクトレーニング処理とを行わずに、前記１回目の表示オンシーケンスにおいて決定された前記映像信号伝送形式で映像信号を前記表示パネルに送信する表示パネル制御方法。
【請求項８】
前記表示パネルが電源オン状態であり且つ前記表示パネルへ前記映像信号が送信されている状態で、前記電子機器の電源オフを要求するイベントが発生した場合、前記表示パネルへの前記映像信号の送信を停止する請求項７記載の表示パネル制御方法。
【手続補正２】
【補正対象書類名】明細書
【補正対象項目名】０００８
【補正方法】変更
【補正の内容】
【０００８】
実施形態によれば、電子機器は、表示パネルを備えている。さらに、前記電子機器は、前記表示パネルを電源オンまたは電源オフする電源制御手段と、制御手段とを具備する。前記制御手段は、前記電子機器が電源オンされた後の１回目の表示オンシーケンスにおいて、前記電源制御手段を用いて前記表示パネルを電源オンする処理と、前記表示パネルからホットプラグ検出信号を受信する処理と、映像信号伝送形式を決定するためのリンクトレーニング処理と、前記リンクトレーニング処理によって決定された映像信号伝送形式で映像信号を前記表示パネルに送信する処理とを実行する。前記制御手段は、前記映像信号が前記表示パネルに送信された後に表示オフ要求イベントが発生した場合、前記表示パネルを電源オン状態に維持した状態で前記表示パネルへの前記映像信号の送信を停止し、前記表示パネルが電源オン状態であり且つ前記表示パネルへの前記映像信号の送信が停止されている状態で表示オン要求イベントが発生したことに応答して実行される２回目以降の表示オンシーケンスにおいて、前記ホットプラグ検出信号を受信する前記処理と、前記リンクトレーニング処理とを行わずに、前記１回目の表示オンシーケンスにおいて決定された前記映像信号伝送形式で映像信号を前記表示パネルに送信するように構成されている。